(57)【要約】      （修正有）【課題】中間材を路面に塗布又は貼付する前に、湿潤状態の路面を効率的に乾燥させる路面乾燥装置及び路面乾燥方法の提供。【解決手段】路面乾燥装置１は、路面Ｒ上を走行可能な自走機械２と、自走機械２に搭載され、熱風を生成する熱風発生源３と、自走機械２に取り付けられ、熱風発生源３から供給された熱風を内部に充満させ、下部開口４１ｂを介して路面Ｒに熱風を送風する熱風チャンバとを備えている。また前記熱風チャンバを取り付けた自走機械２を移動させ、熱風の送風範囲をスライドさせる。【選択図】図２
2017122359.tif 000002
【特許請求の範囲】
【請求項１】
路面と舗装体との間に介在させる中間材を前記路面に塗布又は貼付する前に前記路面を乾燥させる路面乾燥装置において、
前記路面上を走行可能な自走機械と、
該自走機械に搭載され、熱風を生成する熱風発生源と、
前記自走機械に取り付けられ、前記熱風発生源から供給された熱風を内部に充満させ、下部開口を介して前記路面に熱風を送風する熱風チャンバと、
を備えていることを特徴とする路面乾燥装置。
【請求項２】
前記熱風チャンバは、
前記下部開口及び前記熱風が流入する上部開口が形成されたカバーと、
前記上部開口から流入する熱風を前記カバー内に拡散させる邪魔板と、
を備えていることを特徴とする請求項１記載の路面乾燥装置。
【請求項３】
前記熱風チャンバに対して前記自走機械の進行方向の前方に配置され、前記路面に向けてエアーを吐出するスリットノズルを備えていることを特徴とする請求項１又は２記載の路面乾燥装置。
【請求項４】
前記スリットノズルが吐出するエアーは、前記熱風発生源から供給される熱風であることを特徴とする請求項３記載の路面乾燥装置。
【請求項５】
前記スリットノズルの吐出口は、前記エアーの送風方向が前記自走機械の進行方向に対して鋭角になるように配置されていることを特徴とする請求項３又は４記載の路面乾燥装置。
【請求項６】
路面と舗装体との間に介在させる中間材を前記路面に塗布又は貼付する前に前記路面を乾燥させる路面乾燥方法において、
熱風発生源が熱風を生成する工程と、
前記熱風を前記熱風チャンバ内に充満させる工程と、
前記熱風チャンバの下部開口を介して前記路面に前記熱風を送風する工程と、
前記熱風チャンバを取り付けた自走機械を移動させ、前記熱風の送風範囲をスライドさせる工程と、
を含むことを特徴とする路面乾燥方法。
【発明の詳細な説明】
【技術分野】
【０００１】
本発明は、橋や道路の路面上に防水材や接着剤等の中間材を塗布又は貼付した後に舗装体を舗装する道路舗装工事において、中間材を路面に塗布又は貼付する前に、路面を乾燥させる路面乾燥装置及び路面乾燥方法に関する。
【背景技術】
【０００２】
従来より、道路舗装工事では、コンクリート又は鋼製床版等の表面（以下、「路面」と称す）に防水材を塗布してから舗装体を敷設する。また、防水機能に加えて、路面と舗装体とを強固に接着させるために溶剤系プライマー等の接着剤を路面上に塗布させることがある。さらに、傷んだ舗装体を切削除去し、接着剤を塗布した後に新たな舗装体を施工して修繕を行う切削オーバーレイ工法がある。このように接着剤や防水材（以下、併せて「中間材」と称す）を介在させることにより、舗装体を長期に亘って供用させることができる。
【０００３】
特許文献１には、コンクリート等の路面上に、合成樹脂等を塗布して形成された防水層、粒状又はシート状の熱硬化性樹脂及びアスファルト舗装層をこの順で積層する舗装道路の床版防水施工法が開示されており、防水層とアスファルト舗装層との間に介在する熱硬化性樹脂は、アスファルト舗装層を形成する際に、加熱アスファルト合材の保有熱を利用して溶融・流動化し、防水層及びアスファルト舗装層に浸透して、接着面積が増加するものである。
【先行技術文献】
【特許文献】
【０００４】
【特許文献１】特開２００４−１８３３５６号公報
【発明の概要】
【発明が解決しようとする課題】
【０００５】
ところで、降雨や結露によって路面が滞水することがある。また、切削オーバレイ工法では、切削工程で防塵のために散水した水分や削り残しの舗装体等を路面から除去するために清掃を行うが、時にはウォータージェット等による水を介した路面研掃を行うことがあるため、路面が滞水しがちである。しかしながら、上述したような方法では、路面が湿っていると、中間材を介した舗装体が路面に密着せず、雨水が舗装界面に浸水したり、舗装体が路面から剥離するおそれがあるという問題があった。
【０００６】
このような問題に対して、路面が著しく滞水している場合に、ゴムレーキでしごき切ったり、布、スポンジ又は吸水可能な電動掃除機等で水分を極力除去した後に、送風機やバーナで路面を乾燥させることが行われている。
【０００７】
このような小面積毎に路面を乾燥させると、路面全体を効率的かつ均一に乾燥させることが難しい。また、バーナの火炎が路面に当たると路面に急激な温度変化が生じるため、セメントコンクリートではひび割れや表面解離、アスファルトでは溶融や炭化が生じる等、路面性状が劣化するおそれがあった。
【０００８】
そこで、中間材を路面に塗布又は貼付する前に、湿潤状態の路面を効率的に乾燥させるために解決すべき技術的課題が生じてくるのであり、本発明は、この課題を解決することを目的とする。
【課題を解決するための手段】
【０００９】
本発明は、上記目的を達成するために提案するものであり、請求項１記載の発明は、路面と舗装体との間に介在させる中間材を前記路面に塗布又は貼付する前に前記路面を乾燥させる路面乾燥装置において、前記路面上を走行可能な自走機械と、該自走機械に搭載され、熱風を生成する熱風発生源と、前記自走機械に取り付けられ、前記熱風発生源から供給された熱風を内部に充満させ、下部開口を介して前記路面に熱風を送風する熱風チャンバと、を備えている路面乾燥装置を提供する。
【００１０】
この構成によれば、熱風が熱風チャンバ内に充満した後に下部開口から路面に向かって送風されることにより、路面には穏やかな風勢の熱風が送風されると共に下部開口の開口面積に応じた熱風の送風範囲内を均一に乾燥させることができる。また、自走機械を移動させて、熱風の送風範囲を自走機械の進行方向に沿って一定速度で移動させることができる。
【００１１】
請求項２記載の発明は、請求項１記載の発明の構成に加えて、前記熱風チャンバは、前記下部開口及び前記熱風が流入する上部開口が形成されたカバーと、前記上部開口から流入する熱風を前記カバー内に拡散させる邪魔板と、を備えている路面乾燥装置を提供する。
【００１２】
この構成によれば、カバー内に流入した熱風が邪魔板に当たってカバー内に拡散されることにより、カバー内の温度むらが低減されるため、熱風の送風範囲内をさらに均一に乾燥することができる。
【００１３】
請求項３記載の発明は、請求項１又は２記載の発明の構成に加えて、前記熱風チャンバに対して前記自走機械の進行方向の前方に配置され、前記路面に向けてエアーを吐出するスリットノズルを備えている路面乾燥装置を提供する。
【００１４】
この構成によれば、熱風チャンバが路面を乾燥させる前に、スリットノズルから吐出されたエアーが路面上の異物や滞水を吹き飛ばすため、路面を効率的に乾燥させることができる。
【００１５】
請求項４記載の発明は、請求項３記載の発明の構成に加えて、前記スリットノズルが吐出するエアーは、前記熱風発生源から供給される熱風である路面乾燥装置を提供する。
【００１６】
この構成によれば、スリットノズルから高温のエアーが吐出されることで、エアーが、路面上の異物や滞水を吹き飛ばすと共に路面を予備乾燥するため、路面をさらに効率的に乾燥させることができる。
【００１７】
請求項５記載の発明は、請求項３又は４記載の発明の構成に加えて、前記スリットノズルの吐出口は、前記エアーの送風方向が前記自走機械の進行方向に対して鋭角になるように配置されている路面乾燥装置を提供する。
【００１８】
この構成によれば、エアーが、路面上の異物や滞水を自走機械の進行方向の前方に吹き飛ばすため、熱風チャンバから送風される熱風が、効率的に乾燥させることができる。
【００１９】
請求項６記載の発明は、路面と舗装体との間に介在させる中間材を前記路面に塗布又は貼付する前に前記路面を乾燥させる路面乾燥方法において、熱風発生源が熱風を生成する工程と、前記熱風を前記熱風チャンバ内に充満させる工程と、前記熱風チャンバの下部開口を介して前記路面に前記熱風を送風する工程と、前記熱風チャンバを取り付けた自走機械を移動させ、前記熱風の送風範囲をスライドさせる工程と、を含む路面乾燥方法を提供する。
【００２０】
この構成によれば、熱風が熱風チャンバ内に充満した後に下部開口から路面に向かって送風されることにより、路面には穏やかな風勢の熱風が送風されると共に下部開口の開口面積に応じた熱風の送風範囲内を均一に乾燥させることができる。また、自走機械を移動させて、熱風の送風範囲を自走機械の進行方向に沿って移動させることができる。
【発明の効果】
【００２１】
本発明は、熱風発生源で生成された熱風が、熱風チャンバ内に充満された後に路面に送風されることにより、熱風の送風範囲内を穏やかな風勢の熱風で均一に乾燥することができる。また、自走機械を移動させて、熱風の送風範囲を自走機械の進行方向に沿って移動させることができる。
【図面の簡単な説明】
【００２２】
【図１】本発明の第１実施例に係る路面乾燥装置を示す平面図。
【図２】図１に示す路面乾燥装置の側面図。
【図３】熱風チャンバを示す図であり、（ａ）は平面図、（ｂ）は側面図、（ｃ）はＡ−Ａ線断面図、（ｄ）は底面図である。
【図４】熱風チャンバがリフトアップされた状態を示す側面図。
【図５】スリットノズルがリフトアップされた状態を示す側面図。
【発明を実施するための形態】
【００２３】
本発明は、中間材を路面に塗布又は貼付する前に、湿潤状態の路面を効率的に乾燥させるために、路面と舗装体との間に介在させる中間材を路面に塗布又は貼付する前に路面を乾燥させる路面乾燥装置において、路面上を走行可能な自走機械と、自走機械に搭載され、熱風を生成する熱風発生源と、自走機械に取り付けられ、熱風発生源から供給された熱風を内部に充満させ、下部開口を介して路面に熱風を送風する熱風チャンバと、を備えていることにより実現した。
【００２４】
また、本発明は、中間材を路面に塗布又は貼付する前に、湿潤状態の路面を効率的に乾燥させるために、路面と舗装体との間に介在させる中間材を路面に塗布又は貼付する前に路面を乾燥させる路面乾燥方法において、熱風発生源が熱風を生成する工程と、熱風を熱風チャンバ内に充満させる工程と、熱風チャンバの下部開口を介して路面に熱風を送風する工程と、熱風チャンバを取り付けた自走機械を移動させ、熱風の送風範囲をスライドさせる工程と、を含むことにより実現した。
【実施例】
【００２５】
以下、本発明の一実施例に係る路面乾燥装置１ついて、図面に基づいて説明する。なお、以下の実施例において、構成要素の数、数値、量、範囲等に言及する場合、特に明示した場合及び原理的に明らかに特定の数に限定される場合を除き、その特定の数に限定されるものではなく、特定の数以上でも以下でも構わない。
【００２６】
また、構成要素等の形状、位置関係に言及するときは、特に明示した場合及び原理的に明らかにそうでないと考えられる場合等を除き、実質的にその形状等に近似又は類似するもの等を含む。
【００２７】
また、図面は、特徴を分かり易くするために特徴的な部分を拡大する等して誇張する場合があり、構成要素の寸法比率等が実際と同じであるとは限らない。
【００２８】
図１は、路面乾燥装置１を示す平面図である。図２は、路面乾燥装置１の側面図である。図３は、補助輪４１ｃを省略した熱風チャンバ４を示す図である。図４は、熱風チャンバ４がリフトアップされた状態を示す側面図である。図５は、スリットノズル６がリフトアップされた状態を示す側面図である。
【００２９】
路面乾燥装置１は、切削オーバレイ工法で再舗装される道路舗装工事等に用いられる。切削オーバレイ工法では、図示しない路面切削機が、傷んだ舗装路面を切削した後に、セメントコンクリート、アスファルト舗装や鋼製床版等の表面である路面Ｒ上にアスファルト舗装層（舗装体）を形成して新たな路面を再舗装する。路面乾燥装置１は、路面Ｒと舗装体との間に介在される防水材や接着剤等の中間材を路面Ｒ上に塗布又は貼付する前に、路面Ｒを乾燥させる際に用いられる。なお、以下では、「乾燥」とは、路面Ｒの水分量がゼロである状態のみを意図するものではなく、路面Ｒと中間材とが密着可能な程度に水分が残存している状態も含む。
【００３０】
図１〜３に示すように、路面乾燥装置１は、自走機械２と、熱風発生源３と、熱風チャンバ４と、を備えている。
【００３１】
自走機械２は、路面Ｒ上を進行方向Ｄに移動可能な車両である。自走機械２の駆動源は、エンジン又は電気モータの何れであっても構わない。自走機械２には、オペレータが座る座席２１と、自走機械２を操向操作するハンドル２２と、各種装置に給電する発電機２３と、が設けられている。
【００３２】
熱風発生源３は、自走機械２に搭載されている。熱風発生源３は、図示しない燃料タンク内に貯蔵された燃料、例えば灯油を燃焼させて熱風を生成する。熱風発生源３で生成された熱風は、可撓性の熱風ダクト３１を介して熱風チャンバ４に供給される。
【００３３】
熱風チャンバ４は、自走機械２の先端に接続機構５を介して取り付けられている。熱風チャンバ４は、カバー４１と、邪魔板４２と、蓋部４３と、を備えている。
【００３４】
カバー４１の上面には、上部開口４１ａが形成されている。熱風ダクト３１の末端は、上部開口４１ａに接続されている。
【００３５】
カバー４１の底面には、下部開口４１ｂが形成されている。下部開口４１ｂの開口面積は、カバー４１の底面の面積と略同一である。下部開口４１ｂの幅寸法は、自走機械２の幅寸法と略同一に設定されている。熱風発生源３から供給された熱風は、下部開口４１ｂを介して路面Ｒに向けて送風される。
【００３６】
カバー４１の四隅には、補助輪４１ｃが設けられており、補助輪４１ｃの取付位置を調整することで、カバー４１と路面Ｒとの距離を任意に変更することができる。
【００３７】
邪魔板４２は、熱風チャンバ４を１次チャンバＣ１と２次チャンバＣ２とに仕切るように配置されている。また、邪魔板４２は、上部開口４１ａの下方に配置され、熱風の風向に対して垂直になるように設けられている。邪魔板４２には、第１の通風口４２ａと、第１の通風口４２ａより大径の第２の通風口４２ｂと、が設けられている。なお、邪魔板４２は、カバー４１内に流入する熱風をカバー４１内に拡散するものであれば、形状や配置位置は如何なるものでも構わない。
【００３８】
蓋部４３は、下部開口４１ｂに嵌合されている。蓋部４３は、格子状のメッシュ板や多数の孔が設けられたパンチングメタル又はエキスパンドメタル等であり、路面Ｒ上の異物等がカバー４１内に侵入することを抑制すると共に、熱風チャンバ４内に充満させた熱風の流れを整えることで熱風をムラなく路面Ｒに吹き付けることができる。
【００３９】
接続機構５は、自走機械２の先端に立設された第１のフレーム５１と、カバー４１に連結された第２のフレーム５２と、第１のフレーム５１の基部と第２のフレーム５２との間に配設された２本のリンクアーム５３と、第１のフレーム５１の上部と第２のフレーム５２との間に配設された２本の昇降シリンダ５４と、を備えている。
【００４０】
第１のフレーム５１は、門型に形成され、下端が自走機械２に連結されている。
【００４１】
第２のフレーム５２は、スライドシリンダ５５を介してカバー４１に連結されている。具体的には、第２のフレーム５２の下部中央には、幅方向Ｗに延伸したシリンダ５５ａが接続されている。また、カバー４１の上面には、シリンダ５５ａ内を進退自在なロッド５５ｂが取り付けられている。したがって、ロッド５５ｂを図示しない駆動源でシリンダ５５ａに対して相対的にスライドさせることにより、カバー４１は、幅方向Ｗに移動可能であるため、自走機械２が寄ることが難しい路面Ｒの際まで熱風を送風することができる。
【００４２】
リンクアーム５３の後端は、第１のフレーム５１の基部にヒンジ接続され、リンクアーム５３の先端は、第２のフレーム５２に接続されている。これにより、図４に示すように、カバー４１は、昇降シリンダ５４の伸縮に応じて、リンクアーム５３の後端を中心に昇降可能である。
【００４３】
路面乾燥装置１には、スリットノズル６が設けられている。スリットノズル６は、カバー４１の前方に配置され、カバー４１に連結された第３のフレーム６１に吊設されている。したがって、スリットノズル６は、カバー４１のスライド移動に追従して、幅方向Ｗにスライド可能である。
【００４４】
第３のフレーム６１の後端は、カバー４１にヒンジ接続されており、第３のフレーム６１の先端には、補助輪６２が設けられている。したがって、図５に示すように、第３のフレーム６１は、第３のフレーム６１の後端を中心に垂直に立てかけることができる。スリットノズル６の幅寸法は、自走機械２の幅寸法と略同一に設定されている。スリットノズル６のスリット幅は、１〜１０ｍｍの範囲で供給される風圧や風量に応じて変更可能である。また、路面Ｒからスリットノズル６までの高さは、任意に変更可能である。
【００４５】
スリットノズル６は、２本の可撓性の送風ダクト６３を介してブロア６４から供給されるエアーを図示しない吐出口から路面Ｒに向かって吐出する。なお、送風ダクト６３に供給されるエアーは、ブロア６４から供給されるエアーを別途加熱するか、熱風発生源３から供給されるのが好ましい。
【００４６】
スリットノズル６の吐出口は、エアーが路面Ｒに対して斜めに当たるように設置されるのが好ましい。すなわち、スリットノズル６は、エアーの送風方向が自走機械２の進行方向Ｄに対して鋭角になるように配置されるのが好ましい。
【００４７】
次に、路面乾燥装置１を用いて路面Ｒを乾燥させる手順について説明する。熱風発生源３は、熱風を生成する。熱風発生源３が生成する熱風は、例えば、温度３００℃、最大風量７０ｍ３／ｍｉｎに設定される。
【００４８】
熱風ダクト３１を介してカバー４１内に流入した熱風は、カバー４１内に一時的に充満して、風勢が緩やかになると共にカバー４１内の熱風の温度ムラが軽減される。具体的には、図３（ｃ）中の矢印に示すように、熱風は、邪魔板４２に当たって１次チャンバＣ１内に拡散する。１次チャンバＣ１内の熱風は、第１の通風口４２ａと第２の通風口４２ｂを介して、２次チャンバＣ２内に流入する。第２の通風口４２ｂは、平面視で、第１の通風口４２ａより上部開口４１ａより遠くに配置されているが、第１の通風口４２ａより大量の熱風を通過させるため、２次チャンバＣ２内の熱風は幅方向Ｗにおいて温度むらが少ない。下部開口４１ｂ付近では、熱風は１５０℃程度までに均一化される。
【００４９】
ブロア６４は、常温のエアーを最大風量８０ｍ３／ｍｉｎで生成する。送風ダクト６３を介してスリットノズル６に供給されるエアーは、スリットノズル６内に拡散する。
【００５０】
次に、下部開口４１ｂが湿潤した路面Ｒの表面に対向するように、自走機械２を移動させて路面Ｒを乾燥する。具体的には、まず、スリットノズル６から吐出されたエアーが、路面Ｒ上の異物や滞水を進行方向Ｄの前方に吹き飛ばす。また、エアーの風向と自走機械２の進行方向Ｄとが鋭角になるように、エアーが路面Ｒに対して斜めに送風されることにより、エアーで吹き飛ばされた異物や水分は、スリットノズル６の後方の熱風チャンバ４１の送風範囲内に侵入することが抑制される。なお、スリットノズル６に供給されるエアーを別途加熱するか、または熱風発生源３が生成する熱風をスリットノズル６に供給する場合には、エアーが路面Ｒ上の異物や滞水を吹き飛ばすと共に、路面Ｒを予備乾燥することができる。
【００５１】
次に、熱風チャンバ４１内の熱風は、新たにカバー４１内に上部開口４１ａから流入する熱風に押し出されるように、下部開口４１ｂを介して路面Ｒに送風される。熱風チャンバ４１から送風される熱風は、下部開口４１ｂの開口面積に応じた送風範囲内を穏やかな風勢で且つ均一な温度で乾燥する。
【００５２】
熱風が路面Ｒに吹き付けられると、自走機械２を進行方向Ｄに前進させ、熱風の送風範囲を進行方向Ｄに沿って移動させる。自走機械２の進行速度は、例えば、２ｍ／ｍｉｎに設定される。これにより、熱風の送風範囲が一定速度で移動して、路面Ｒ上での乾燥むらの発生が抑制される。
【００５３】
すなわち、湿潤した路面Ｒ上をエアー、熱風がこの順番で通過することにより、路面Ｒは、異物や滞水を吹き飛ばされた後に、熱風で効率よく乾燥される。
【００５４】
このようにして、本発明は、熱風発生源３で生成された熱風が、熱風チャンバ４内に充満された後に路面Ｒに送風されることにより、熱風の送風範囲内を穏やかな風勢で且つ均一な温度で乾燥させることができる。また、自走機械２を移動させて、熱風の送風範囲を自走機械２の進行方向Ｄに沿って一定速度で移動させることができる。
【００５５】
なお、本発明は、本発明の精神を逸脱しない限り種々の改変をなすことができ、そして、本発明が該改変されたものにも及ぶことは当然である。
【符号の説明】
【００５６】
１  ・・・  路面乾燥装置
２  ・・・  自走機械
２１・・・  座席
２２・・・  ハンドル
２３・・・  発電機
３  ・・・  熱風発生源
３１・・・  熱風ダクト
４  ・・・  熱風チャンバ
４１・・・  カバー
４１ａ・・・上部開口
４１ｂ・・・下部開口
４１ｃ・・・補助輪
４２・・・  邪魔板
４２ａ・・・第１の通風口
４２ｂ・・・第２の通風口
４３・・・  蓋部
５  ・・・  接続機構
５１・・・  第１のフレーム
５２・・・  第２のフレーム
５３・・・  リンクアーム
５４・・・  昇降シリンダ
５５・・・  スライドシリンダ
６  ・・・  スリットノズル
６１・・・  第３のフレーム
６２・・・  補助輪
６３・・・  送風ダクト
６４・・・  ブロア
Ｗ  ・・・  幅方向
Ｒ  ・・・  路面
Ｄ  ・・・  （自走機械の）進行方向
【図１】
2017122359.tif 000003
【図２】
2017122359.tif 000004
【図３】
2017122359.tif 000005
【図４】
2017122359.tif 000006
【図５】
2017122359.tif 000007